(57)【要約】【課題】  消臭機能やあるいは吸汗性能を備えるとともに、大きな破断荷重が必要なあご紐等の内装材にも使用可能な複合繊維構造材を用いてなる消臭機能付きヘルメットを提供する。【解決手段】  帽体１に使用者の頭部に装着するための内装材を有し、消臭繊維と吸水速乾繊維及び補強繊維の組み合わせからなる複合繊維構造材を前記内装材として用いた。ここで、内装材は、ヘッドバンド４、ハンモック３、天井メッシュ２、あご紐６、耳輪５又は汗止め７の少なくとも１種以上である。あご紐は、消臭繊維と補強繊維を組み合わせた複合繊維構造材を用いて破断荷重が１１０ｋｇｆ以上となるように織製した。【選択図】        図１
2013216993.tif 000002
【特許請求の範囲】
【請求項１】
帽体に使用者の頭部に装着するための内装材を有し、消臭繊維と吸水速乾繊維及び補強繊維の組み合わせからなる複合繊維構造材を前記内装材として用いたことを特徴する消臭機能付きヘルメット。
【請求項２】
前記内装材は、ヘッドバンド、ハンモック、天井メッシュ、あご紐、耳輪又は汗止めの少なくとも１種以上である請求項１記載の消臭機能付きヘルメット。
【請求項３】
前記あご紐は、消臭繊維と補強繊維を組み合わせた複合繊維構造材を用いて破断荷重が１１０ｋｇｆ以上となるように織製してなる請求項１記載の消臭機能付きヘルメット。
【発明の詳細な説明】
【技術分野】
【０００１】
本発明は、消臭機能付きヘルメットに関するものである。
【背景技術】
【０００２】
従来から、ヘルメットの帽体の内部に消臭剤を担持させた消臭機能付きヘルメットは提供されている。例えば、消臭剤を布又は不織布に包んでパットを作成し、そのパットを接着テープや面ファスナーでヘルメット内部の頭上に取付けたものがある。
【０００３】
特許文献１には、本体内側の頭頂部に、金属及び／又は金属酸化物粒子、吸着材粒子、熱可塑性樹脂粒子、及び通気性シートの繊維状基材、を含み、金属及び／又は金属酸化物粒子と吸着材粒子は、熱可塑性樹脂粒子表面に、粒子どうしの接触部分で結合し、熱可塑性樹脂粒子は通気性シートの繊維状基材に結合している脱臭材を含んでいる脱臭シートが備えてある、ヘルメットが開示されている。ここで、吸着材粒子としては、活性炭、ゼオライト、シリカゲル等が用いられる。
【０００４】
また、特許文献２には、光触媒と吸着剤とを含有してなる消臭性繊維が開示されている。ここで、吸着剤が、四価金属のリン酸塩および二価金属の水酸化物である。消臭性成分を含有する繊維は、合成繊維、半合成繊維、再生繊維、天然繊維のいずれであってもよいとされている。
【先行技術文献】
【特許文献】
【０００５】
【特許文献１】特開平１０−１３０９３２号公報
【特許文献２】特開平０８−２８４０１１号公報
【発明の概要】
【発明が解決しようとする課題】
【０００６】
しかしながら、ヘルメットの内装材として、消臭繊維を用いることは一般的であるが、その繊維材料のみでは破断荷重が不足するので、あくまでも汗止めパットのような形態で他の内装材に添設するような使用方法が取られていた。
【０００７】
そこで、本発明が前述の状況に鑑み、解決しようとするところは、消臭機能やあるいは吸汗性能を備えるとともに、大きな破断荷重が必要なあご紐等の内装材にも使用可能な複合繊維構造材を用いてなる消臭機能付きヘルメットを提供する点にある。
【課題を解決するための手段】
【０００８】
本発明は、前述の課題解決のために、帽体に使用者の頭部に装着するための内装材を有し、消臭繊維と吸水速乾繊維及び補強繊維の組み合わせからなる複合繊維構造材を前記内装材として用いたことを特徴する消臭機能付きヘルメットを構成した（請求項１）。
【０００９】
ここで、前記内装材は、ヘッドバンド、ハンモック、天井メッシュ、あご紐、耳輪又は汗止めの少なくとも１種以上である（請求項２）。
【００１０】
そして、前記あご紐は、消臭繊維と補強繊維を組み合わせた複合繊維構造材を用いて破断荷重が１１０ｋｇｆ以上となるように織製してなることがより好ましい（請求項３）。
【発明の効果】
【００１１】
以上にしてなる本発明の消臭機能付きヘルメットは、帽体に使用者の頭部に装着するための内装材として、消臭繊維と吸水速乾繊維及び補強繊維の組み合わせからなる複合繊維構造材を用いたので、消臭機能を備えるとともに、適宜補強繊維を組み合わせることにより、規定の破断荷重を満たすように引っ張り強度を高めることができる。更に、吸水速乾繊維を組み合わせることにより、汗を素早く吸収し、また乾燥も助けるので、帽体の内部が蒸れなく、快適な使用状態を実現できる。
【図面の簡単な説明】
【００１２】
【図１】ヘルメットを部分破断して示した側面図である。
【図２】ヘルメットの一部省略して示した底面図である。
【発明を実施するための形態】
【００１３】
次に、添付図面に示した実施形態に基づき、本発明を更に詳細に説明する。図１及び図２に一般的なヘルメットの構造を示している。
【００１４】
ヘルメットは、ＰＣ，ＡＢＳ，ＦＲＰなどの合成樹脂成形体からなり、着用者の頭部を覆う帽体１と、該帽体１に衝撃が加わった際に着用者の頭部に加わる衝撃を緩和するように該帽体１内に設けられた天井メッシュ２、ハンモック３、ヘッドバンド４等から構成されている。更に、前記帽体１が着用者の頭部から脱落するのを防止する耳輪５、あご紐６、着用者の汗を吸収する汗止め７等がその主要構成部品として用いられている。
【００１５】
前記ハンモック３は、複数の紐部材からなり、上端部に前記天井メッシュ２が保持され、下端部を前記帽体１の内周面下部にハンガー８等で固定されている。そして、前記ヘッドバンド４も適宜な方法で、前記帽体１内に前記ハンガー８等で保持されている。前記耳輪５は、左右一対有し、前記ハンガー８，…に端部を固定し、更に前記あご紐６が接続されている。更に、前記帽体１に衝撃が加わった際に着用者の頭部に加わる衝撃を緩和するように、該帽体１の内面に、衝撃吸収ライナーが適宜取付けられる。
【００１６】
本発明では、ヘッドバンド４、ハンモック３、天井メッシュ２、あご紐６、耳輪５及び汗止め７を総じて内装材と称している。本発明では、ヘルメットの構造限定は不要であり、前記内装材が全部若しくは一部備わっていればよい。
【００１７】
そして、本発明は、消臭繊維と吸水速乾繊維及び補強繊維の組み合わせからなる複合繊維構造材を前記内装材として用いたことを特徴としている。本発明では、この３種類の繊維を組み合わせて前記内装材を織製するが、「織製」とは平織等の織物や、編物、更には組紐の手法によって布や紐を作る広い概念である。３種類の繊維の組み合わせとしては、大きな破断荷重が要求される内装材では、消臭繊維と補強繊維、あるいは消臭繊維、吸水速乾繊維及び補強繊維であり、破断荷重が要求されない内装材では補強繊維を省略することもある。更に、他の繊維を適宜組み合わせることもある。
【００１８】
ここで、前記消臭繊維は、金属含有セラミックス系の消臭剤を練り込んだポリエステル繊維で、繊維径は３．３デニールである。例えば、クラレ株式会社の商品名「シャインアップ」を用いる。
【００１９】
前記吸水速乾繊維は、断面形状が異なる複数の極細繊維の組み合わせで構成される繊維である。例えば、東レ株式会社の商品名「セオα」を用いる。
【００２０】
前記補強繊維は、例えばポリウレタン製糸やポリエステル製糸、ポリアミド複合繊維糸を使用する。
【実施例】
【００２１】
前記あご紐６は、ポリエステル製糸６７．５％と消臭糸３２．５％からなる紡糸を用いて織製した。
前記ヘッドバンド４は、吸水速乾糸４７，５％と消臭糸２０．５％と伸縮糸１４％と補強ポリアミド糸１８％を用いて織製した。
前記汗止め７は、吸水速乾糸５０％と消臭糸５０％で織製した。
前記天井メッシュ２は、吸水速乾糸３５％と消臭糸４４％と厚み保持糸２１％を用いて織製した。
【００２２】
通常のあご紐強度として、１１０ｋｇｆ以上の破断荷重が必要としているが、消臭繊維のみでは約７０ｋｇｆ程度であり、吸水速乾繊維のみでは約９０ｋｇｆ程度の強度しか有しない。そこで、引っ張り強度が必要な内装材には、補強繊維を組み合わせ、所望の破断強度になるように織製している。
【符号の説明】
【００２３】
１  帽体
２  天井メッシュ
３  ハンモック
４  ヘッドバンド
５  耳輪
６  あご紐
７  汗止め
８  ハンガー
【図１】
2013216993.tif 000003
【図２】
2013216993.tif 000004